(57)【要約】【課題】掃除作業中に、電話機などの外部通信機に着信があったときに、それを使用者に確実に報知することができる電気掃除機を提供する。【解決手段】塵埃を吸引する吸引風を発生させる電動送風機２を内蔵した掃除機本体１と、前記掃除機本体１内部に電力を供給する電源コード６と、前記電源コード６を介して電話機９と通信するＰＬＣ通信制御部１０と、前記ＰＬＣ通信制御部１０からの信号を処理して、前記電動送風機２を制御する制御部１１とを備え、前記ＰＬＣ通信制御部１０が信号を受信したときに、少なくとも前記電動送風機２の運転を停止させるもので、掃除中であっても、使用者は、確実に電話の着信に気付くことができるものである。【選択図】図１
2013183903.tif 000002
【特許請求の範囲】
【請求項１】
塵埃を吸引する吸引風を発生させる電動送風機を内蔵した掃除機本体と、前記掃除機本体内部に電力を供給する電源コードと、前記電源コードを介して外部通信機と通信するＰＬＣ通信制御部と、前記ＰＬＣ通信制御部からの信号を処理して、前記電動送風機を制御する制御部とを備え、前記ＰＬＣ通信制御部が信号を受信したときに、少なくとも前記電動送風機の運転を停止させること特徴とした電気掃除機。
【請求項２】
光素子を備え、ＰＬＣ通信制御部からの信号を受信したときに、光を用いて使用者に報知することを特徴とした請求項１に記載の電気掃除機。
【請求項３】
音を発する素子を備え、ＰＬＣ通信制御部からの信号を受信したときに、音を用いて使用者に報知することを特徴とした請求項１又は２に記載の電気掃除機。
【請求項４】
振動する素子を備え、ＰＬＣ通信制御部からの信号を受信したときに、振動を用いて使用者に報知すること特徴とした請求項１〜３のいずれか１項に記載の電気掃除機。
【発明の詳細な説明】
【技術分野】
【０００１】
本発明は、電気掃除機に関するものである。
【背景技術】
【０００２】
従来の電気掃除機は、低騒音化されたとしても、その掃除機本体に内蔵された電動送風機は、一般家庭の日常生活の中で発生する騒音としては比較的大きい騒音を発生させていた（例えば、特許文献１参照）。
【先行技術文献】
【特許文献】
【０００３】
【特許文献１】特開２０１１−１４４７５７号公報
【発明の概要】
【発明が解決しようとする課題】
【０００４】
このため、上記従来の電気掃除機の構成では、電気掃除機の使用中に、電話の着信やインターホンの呼び出しがあり機器が呼び出し音を鳴らしても、その呼び出し音が、電気掃除機の出す大きな騒音でかき消されてしまい、使用者が気付かないことが多くあった。
【０００５】
本発明は、上記従来の課題を解決するもので、電気掃除機の使用中に電話の着信やインターホンの呼び出しが有っても、使用者にそれを確実に気付かせることができる電気掃除機を提供することを目的とする。
【課題を解決するための手段】
【０００６】
前記従来の課題を解決するために、本発明の電気掃除機は、塵埃を吸引する吸引風を発生させる電動送風機を内蔵した掃除機本体と、前記掃除機本体内部に電力を供給する電源コードと、前記電源コードを介して外部通信機と通信するＰＬＣ通信制御部と、前記ＰＬＣ通信制御部からの信号を処理して、前記電動送風機を制御する制御部とを備え、前記ＰＬＣ通信制御部が信号を受信したときに、少なくとも前記電動送風機の運転を停止させるもので、例えば、外部通信機が電話機の場合、掃除中であっても、使用者は、確実に電話の着信に気付くことができるものである。
【発明の効果】
【０００７】
本発明の電気掃除機は、電話の着信やインターホンの呼び出しと同時に、電動送風機の運転を停止するので、使用者は、確実に機器の呼び出しに気付くことができるものである。
【図面の簡単な説明】
【０００８】
【図１】本発明の実施の形態１における電気掃除機の斜視外観図
【図２】同電気掃除機の制御ブロック図
【発明を実施するための形態】
【０００９】
第１の発明は、塵埃を吸引する吸引風を発生させる電動送風機を内蔵した掃除機本体と、前記掃除機本体内部に電力を供給する電源コードと、前記電源コードを介して外部通信機と通信するＰＬＣ通信制御部と、前記ＰＬＣ通信制御部からの信号を処理して、前記電動送風機を制御する制御部とを備え、前記ＰＬＣ通信制御部が信号を受信したときに、少なくとも前記電動送風機の運転を停止させるもので、例えば、外部通信機が電話機の場合、掃除中であっても、使用者は、確実に電話の着信に気付くことができるものである。
【００１０】
第２の発明は、特に、第１の発明の電気掃除機において、光素子を備え、ＰＬＣ通信制御部からの信号を受信したときに、光を用いて使用者に報知するもので、電気掃除機の運転中に、電話機などといった外部通信機に着信があったときに、それが光で報知されるので、使用者は着信が有った事を確実に知ることができる。
【００１１】
第３の発明は、特に、第１又は第２の発明の電気掃除機において、音を発する素子を備え、ＰＬＣ通信制御部からの信号を受信したときに、音を用いて使用者に報知するもので、外部通信機に着信があったときに、それが音で報知されるので、使用者は着信が有った事を確実に知ることができる。
【００１２】
第４の発明は、特に、第１〜３のいずれか一つの発明の電気掃除機において、振動する素子を備え、ＰＬＣ通信制御部からの信号を受信したときに、振動を用いて使用者に報知するもので、外部通信機に着信があったときに、それが振動で報知されるので、使用者は着信が有った事を確実に知ることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における電気掃除機の斜視外観図、図２は、同電気掃除機の制御ブロック図である。
【００１５】
図１、２において、掃除機本体１は、その後部に吸引風を発生する電動送風機２を内蔵し、その前部に、着脱自在でかつ塵埃を捕集する集塵袋３を配置している。掃除機本体１の後方下部の両側には、１対の走行用の車輪４が回転自在に取着され、掃除機本体１の底面前部には、同じく走行用のキャスター５が取着され、後部には、掃除機本体１に電源を供給する電源コード６が接続され、電源コード６の先端には、室内の壁に設けたコンセント７に接続するための電源プラグ８が設けられている。
【００１６】
また、掃除機本体１の内部には、電源コード６を介して外部通信機の一つである電話機９との信号の伝達を行うＰｏｗｅｒ  Ｌｉｎｅ  Ｃｏｍｍｕｎｉｃａｔｉｏｎ通信制御部１０（以下、「ＰＬＣ通信制御部１０」という。）と、ＰＬＣ通信制御部１０からの信号を受けて、電動送風機２を制御する制御部１１が内蔵されている。
【００１７】
また、電話機９は、ホームサーバ（図示せず）と無線接続されており、電話の着信時にはホームサーバーを経由してＰＬＣ通信制御部１０へ向けて着信信号を発信する機能を有する。
【００１８】
一端が掃除機本体１に着脱自在に接続されるホース２１の他端には、手元部２０が設けられ、その手元部２０には、操作手段２２が配され、各種の動作モード（例えば、「強」・「中」・「弱」・「切」等の吸込み力）を選択できるようになっている。そして、ホース２１の手元部２０は、伸縮自在或いは継ぎ自在の延長管２３と接続される。
【００１９】
延長管２３は、掃除面に接して被掃除面の塵埃等を吸引するための吸込具２４と接続される。吸込具２４は、被掃除面の塵埃を掻き上げる回転ブラシ２５と、回転ブラシ２５をベルト２６を介して回転駆動する電動機２７を内蔵している。
【００２０】
また、ホース２１の手元部２０には、光素子の一つであるＬＥＤ３１と、音を発する素子としてのスピーカー３２と、振動する素子としてバイブレーションモーター３３が配置
されており、それぞれ制御部１１に電気的に接続されている。
【００２１】
以上のように構成された本実施の形態における電気掃除機の動作、作用について、以下に説明する。
【００２２】
使用者が、電源プラグ８をコンセント７に接続後に操作手段２２を操作し、例えば、「中」の動作モードを選択すると、制御部１１は、操作手段２２からの情報を基に、電動送風機２及び電動機２７を駆動させる。
【００２３】
このときに電動送風機２は、例えば、３００００ｒｐｍ以上で高速回転し、大きな騒音を出す。
【００２４】
ここで、電話機９に電話の着信があると、電話機９は、ホームサーバー（図示せず）を経由して、ＰＬＣ通信制御部１０へ向けて電源コード６を介して着信信号を発信する。着信信号を受信したＰＬＣ通信制御部１０は、着信信号を制御部１１へ伝達し、制御部１１は電動送風機２と電動機２７の運転を停止させる。
【００２５】
以上のように本実施の形態における電気掃除機の動作によって、使用者は掃除機本体１を使用中に電動送風機２から発生する騒音に邪魔されること無く、電話の着信に確実に気付くことができ、使い勝手の良い電気掃除機を使用者に提供することが出来る。
【００２６】
また、電動送風機２の停止と同時に、ＬＥＤ３１を点灯させたり、スピーカー３２から報知音を出したり、或いはバイブレーションモーター３３を動作させて、ホース２１を振動させるようにすれば、より確実に電話の着信を報知することが可能となり、より使い勝手の良い電気掃除機を使用者に提供することが出来る。
【００２７】
また、本発明は、使用者の呼び出しを音で行う機器であれば適用は可能であり、例えば電話機９をインターホンとしてもよい。
【産業上の利用可能性】
【００２８】
以上のように、本発明にかかる電気掃除機は、電気掃除機の運転時に発する騒音に邪魔されること無く、電話の着信に確実に気付くことができるもので、各種家庭用、業務用電気掃除機等に広く適用できる。
【符号の説明】
【００２９】
１  掃除機本体
２  電動送風機
６  電源コード
９  電話機（外部通信機）
１０  ＰＬＣ通信制御部
１１  制御部
３１  ＬＥＤ（光素子）
３２  スピーカー（音を発する素子）
３３  バイブレーションモーター（振動する素子）
【図１】
2013183903.tif 000003
【図２】
2013183903.tif 000004